(57)【要約】【課題】製氷室とフリーザ室あるいは切替室のように複数の貯蔵室を左右に仕切る構成を利用して冷蔵庫本体の剛性を高めた冷蔵庫の提供。【解決手段】冷蔵庫本体は貯蔵室の一つを縦仕切体２４によって左右二室に区分けし、前記左右二室に区分けされた貯蔵室の上・下仕切板２１、２２を前記縦仕切体２４によって連結した構成としてある。これにより、左右複数の貯蔵室を形成する上・下仕切板は縦仕切体による連結によってねじれ力に対し互いに補強し合う形となるとともに、その左右方向の横幅の途中が縦仕切体による連結によって細分化される形となって強度メンバーとしての作用は向上しその剛性が大きく向上する。従って、扉開閉等において冷蔵庫本体にひねり力等が加わってもこれに抗することができるとともに、ガラス扉化した扉の大重量にも抗することができ、冷蔵庫本体の変形を強力に抑制することができる。【選択図】図８
2017078547.tif 000002
【特許請求の範囲】
【請求項１】
冷蔵庫本体と、前記冷蔵庫本体内を複数の貯蔵室に仕切る仕切板と、前記貯蔵室を開閉する扉とを備え、前記冷蔵庫本体は前記貯蔵室の一つを縦仕切体によって左右に区分けし、前記左右に区分けされた貯蔵室の上・下仕切板を前記縦仕切体によって連結した冷蔵庫。
【請求項２】
縦仕切体は少なくとも上下いずれか一方の仕切板に一体形成するとともに、前記縦仕切体による上・下仕切板の連結は嵌め合い方式の係合部と被係合部とした請求項１記載の冷蔵庫。
【請求項３】
縦仕切体は、上仕切板に下向き一体形成した縦仕切体上と、下仕切板に上向き一体形成した縦仕切体下とで構成し、前記縦仕切体上と縦仕切体下の突合せ接合端面の一方にフック部を設けるとともに他方には前記フック部を嵌め込む凹部を形成した請求項１または２記載の冷蔵庫。
【請求項４】
上・下仕切板によって形成した左右それぞれの貯蔵室は一方は大きく他方は小さく形成し、かつ、前記大きく形成して間口が広い貯蔵室側の側壁は小さく形成した貯蔵室の側壁よりも厚くした請求項１〜３のいずれか１項記載の冷蔵庫。
【請求項５】
左右に区分けした貯蔵室の上部貯蔵室は観音開き式扉を備え、この観音開き式扉は一方は大きく他方は小さな扉として前記大きな扉を軸支する側の前記左右に区分けした貯蔵室は大きな貯蔵室としてその側壁を厚くした請求項４記載の冷蔵庫。
【発明の詳細な説明】
【技術分野】
【０００１】
本発明は冷蔵庫に関し、特に冷蔵庫本体の剛性を向上させる構成に関するものである。
【背景技術】
【０００２】
一般に冷蔵庫は、冷蔵庫本体を仕切板によって複数の貯蔵室、例えば冷蔵室、冷凍室、野菜室等に仕切り、扉によって開閉自在としてある。そして、このような冷蔵庫の中には、更に上記冷蔵室と冷凍室との間の貯蔵室を左右二室に区分けして、その一方を製氷室、他方をフリーザ室あるいは温度帯を切り替え可能な切替室としたものが見られる（例えば、特許文献１参照）。
【０００３】
図１０は上記特許文献１に記載の冷蔵庫を示し、この冷蔵庫は冷蔵庫本体１０１内に冷蔵室１０２、冷凍室１０３、野菜室１０４を設け、前記冷蔵室１０２と冷凍室１０３との間を左右二室に区分けして製氷室１０５とフリーザ室もしくは切替室１０６が設けてある。そして、上記製氷室１０５とフリーザ室もしくは切替室１０６との区分けは、上側仕切板１０８から垂設した縦仕切体上１０９ａと下側仕切板１１０から上向きに突設した縦仕切体下１０９ｂの端面同士を突合せ接触させ、その前方に装飾カバー（図示せず）を配置し、その後方に隔壁板（図示せず）を設置することによって行っている。
【０００４】
以上のように構成された冷蔵庫は、冷蔵室１０２、冷凍室１０３、野菜室１０４のほかにフリーザ室もしくは切替室１０６が設けてあるから、肉や魚等を半凍結状態に保存等することができ、使い勝手が良いという利点がある。
【０００５】
しかも、前記フリーザ室もしくは切替室が冷蔵庫本体１０１の上下略中央部に位置するから、フリーザ室もしくは切替室等を区画形成する上下の仕切板が長細い冷蔵庫本体１０１の開口略中央部を補強する強度メンバーとなって冷蔵庫本体の剛性を高めるという利点もある。
【先行技術文献】
【特許文献】
【０００６】
【特許文献１】特開２０１４−５５７６７号公報
【発明の概要】
【発明が解決しようとする課題】
【０００７】
しかしながら、最近の冷蔵庫は、生活環境の変化等によって冷蔵庫本体の大型化が進行しており、しかも高品位化の観点から扉がガラス扉化して大重量化しつつあるため、冷蔵庫本体は一段高いレベルでの剛性が求められつつあり、この剛性向上が大きな課題となってきつつある。
【０００８】
特に、上記冷蔵庫本体の大型化は使用者の背丈の関係から上下方向ではなく横方向に大きくなってきているため、冷蔵庫本体の強度メンバーともなる上・下仕切板はその横長寸法が大きくなってその板厚を現状レベルのままとすると強度メンバーとしての働きが十分発揮できなくなりつつあり、この点からも冷蔵庫本体の剛性向上は大きな課題となってきている。
【０００９】
本発明はこのような点に鑑みてなしたもので、前記製氷室とフリーザ室あるいは切替室のように複数の貯蔵室を左右に仕切る構成を利用して冷蔵庫本体の剛性を高めることを目的としたものである。
【課題を解決するための手段】
【００１０】
本発明は上記目的を達成するため、左右複数の貯蔵室に区分けする縦仕切体によって上下の仕切板を連結した構成としてある。
【００１１】
これにより、左右複数の貯蔵室を形成する上・下仕切板は縦仕切体による連結によってねじれ力に対し互いに補強し合う形となるとともに、その左右横幅寸法が大きくても当該左右方向の横幅は縦仕切体によって二分化されて連結した形となり、強度メンバーとしての機能が向上して横幅寸法が大きくてもその剛性が大きく向上する。従って、扉開閉等において冷蔵庫本体にひねり力等が加わってもこれに抗することができるとともに、ガラス扉化した扉の大重量にも抗することができ、冷蔵庫本体の変形を強力に抑制することができる。また、前記冷蔵庫本体が横幅方向に大型化して上・下仕切板の左右横幅寸法が大きなものとなっても、この上・下仕切板の横幅方向の途中を縦仕切体によっても連結しているので上・下仕切板が太鼓腹状に変形するのを防止でき、平面度を高めて寸法精度の高い高品質な冷蔵庫とすることができる。
【発明の効果】
【００１２】
本発明は、上記構成により冷蔵庫本体の剛性を高めることができると同時に寸法精度も高めることができ、大型で高品質な冷蔵庫を提供することができる。
【図面の簡単な説明】
【００１３】
【図１】本発明の実施の形態１における冷蔵庫の外観斜視図
【図２】同冷蔵庫の概略縦断面図
【図３】同冷蔵庫の冷蔵庫本体を示す正面図
【図４】同冷蔵庫の冷蔵庫本体内部を示す斜視図
【図５】同冷蔵庫の冷蔵庫本体内部を示す斜視図
【図６】同冷蔵庫の上・下仕切板を示す分解斜視図
【図７】同冷蔵庫の上・下仕切板に一体形成した縦仕切体部分の分解斜視図
【図８】同冷蔵庫の冷蔵庫本体における縦仕切体部分の拡大斜視図
【図９】（ａ）同冷蔵庫の冷蔵庫本体における縦仕切体を正面から見た断面図、（ｂ）同側面から見た断面図
【図１０】従来の冷蔵庫における冷蔵庫本体の外観と縦仕切体部分を示す斜視図
【発明を実施するための形態】
【００１４】
第１の発明は、冷蔵庫本体と、前記冷蔵庫本体内を複数の貯蔵室に仕切る仕切板と、前記貯蔵室を開閉する扉とを備え、前記冷蔵庫本体は前記貯蔵室の一つを縦仕切体によって左右に区分けし、前記左右に区分けされた貯蔵室の上・下仕切板を前記縦仕切体によって連結した構成としてある。
【００１５】
これにより、左右複数の貯蔵室を形成する上・下仕切板は縦仕切体による連結によってねじれ力に対し互いに補強し合う形となるとともに、その左右横幅寸法が大きくても当該左右方向の横幅は縦仕切体によって二分化されて連結した形となり、強度メンバーとしての機能が向上して横幅幅寸法が大きくてもその剛性が大きく向上する。従って、扉開閉等において冷蔵庫本体にひねり力等が加わってもこれに抗することができるとともに、ガラス扉化した扉の大重量にも抗することができ、冷蔵庫本体の変形を強力に抑制することができる。また、前記冷蔵庫本体が横幅方向に大型化して上・下仕切板の左右横幅寸法が大きなものとなっても、この上・下仕切板の横幅方向途中を縦仕切体によって連結しているので、上・下仕切板が太鼓腹状に変形するのを防止でき、平面度を高めて寸法精度の高い高品質な冷蔵庫とすることができる。
【００１６】
第２の発明は、第１の発明において、前記縦仕切体は少なくとも上下いずれか一方の仕切板に一体形成するとともに、前記縦仕切体による上・下仕切板の連結は嵌め合い方式の係合部と被係合部とした構成としてある。
【００１７】
これにより、上・下仕切板の連結は係合部と被係合部とを嵌め合わせるだけで行うことができ、ビス止め等する場合に比べ簡単かつ迅速に連結作業を行うことができる。しかも縦仕切体は上・下仕切板の少なくともいずれか一方に一体形成しているので部品点数を削減でき、前記作業業時間の短縮とも合わさって安価に提供することが可能となる。
【００１８】
第３の発明は、第１または第２の発明において、前記縦仕切体は、上仕切板に下向き一体形成した縦仕切体上と、下仕切板に上向き一体形成した縦仕切体下とで構成し、前記縦仕切体上と縦仕切体下の突合せ接合端面の一方にフック部を設けるとともに他方には前記フック部を嵌め込む凹部を形成した構成としてある。
【００１９】
これにより、上・下仕切板は縦仕切体上・下のいずれか一方に設けたフックを他方に設けた凹部に嵌め込むだけで連結することができ、ビス止め等する場合に比べ簡単かつ迅速に連結作業を行うことができる。また、縦仕切体上・下はそれぞれ上・下仕切板に一体形成しているから、部品点数を削減でき、前記作業業時間の短縮とも合わさって安価に提供することが可能となる。
【００２０】
第４の発明は、第１〜第３の発明において、前記上・下仕切板によって形成した左右それぞれの貯蔵室は一方は大きく他方は小さく形成し、かつ、前記大きく形成して間口が広い貯蔵室側の側壁は小さく形成した貯蔵室の側壁よりも厚くした構成としてある。
【００２１】
これにより、左右二室に区分けした貯蔵室のうち、開口が大きくて強度が弱くなりがちな大きな貯蔵室の剛性を厚くした側壁によって高めることができ、冷蔵庫本体の剛性を更に高いものとすることができる。
【００２２】
第５の発明は、第４の発明において、前記左右に区分けした貯蔵室の上部貯蔵室は観音開き式扉を備え、この観音開き式扉は一方は大きく他方は小さな扉として前記大きな扉を軸支する側の前記左右に区分けした貯蔵室は大きな貯蔵室としてその側壁を厚くした構成としてある。
【００２３】
これにより、大きな貯蔵室は開口が大きくて強度が弱くなりがちであってもその剛性を高めることができると同時に、大きな扉の片持ちモーメント荷重が直接加わる部分の強度を高めることもでき、扉がガラス扉化して大重量化しても冷蔵庫本体の変形等を効果的に抑制することができる。
【００２４】
以下、本発明の実施の形態について、図面を参照しながら説明する。なお、この実施の形態によって本発明が限定されるものではない。
【００２５】
（実施の形態１）
図１は本発明の実施の形態１における冷蔵庫の外観斜視図、図２は同冷蔵庫の概略縦断面図、図３〜図１０は同冷蔵庫の冷蔵庫本体の剛性向上構成を説明するための図である。
【００２６】
図１、図２において、この実施の形態における冷蔵庫の冷蔵庫本体１は、前方に開口する金属製の外箱２と、硬質樹脂製（例えばＡＢＳ）の内箱３と、これら外箱２と内箱３との間に発泡充填した硬質の発泡ウレタン等の発泡断熱材４からなる。
【００２７】
上記冷蔵庫本体１はその左右横幅方向の寸法を大きくして大型化してあり、その内部に、冷蔵室５と、冷蔵室５の下に位置する切替室６及びこれに並設した製氷室７と、切替室６及び製氷室７の下部に位置する冷凍室８と、冷凍室８の下部に位置する野菜室９等の複数の貯蔵室を有する。
【００２８】
また、前記複数の貯蔵室のうち冷蔵室５の前面は、観音開き式の扉１０（１０ａ，１０ｂ）により開閉自在とし、切替室６及び製氷室７と冷凍室８と野菜室９の前面部は引き出し式の扉１１，１２，１３，１４によって開閉自在としてある。
【００２９】
上記各扉１０〜１４は冷蔵庫本体１と同様硬質のウレタンを発泡充填して断熱性を持たせてあり、更に意匠性を向上させるべくその前面はガラス板を装着して構成したガラス扉としてある。そして、前記冷蔵室５の前面の観音開き式の扉１０（１０ａ，１０ｂ）はその一側端上下部分を冷蔵庫本体１の左右側板部１ａに装着したヒンジ部材１５によって軸支してあり、その一方の扉は他方の扉よりも大きく構成されている。
【００３０】
一方、冷蔵庫本体１の背面には冷却室１６があり、冷気を生成する冷却器１７と、冷気を各室に供給する送風ファン１８とが設けてある。また、上記冷蔵庫本体１の本体天面奥部には圧縮機１９が設けてあり、コンデンサ（図示せず）と、放熱用の放熱パイプ２０と、キャピラリーチューブ２０ａと、前記した冷却器１７とを順次環状に接続してなる冷凍サイクルに冷媒を封入し、冷却運転を行うように構成してある。
【００３１】
ここで上記冷蔵庫本体１は、仕切板２１、２２、２３により本体内を仕切ることによって前記した冷蔵室５、切替室６及びこれに並設した製氷室７、冷凍室８、野菜室９を形成している。
【００３２】
そして、上記切替室６及びこれに並設した製氷室７は、その前面間口近傍に設けた縦仕切体２４とその後方に設置した隔壁板（図示せず）によって左右に区分けしてある。
【００３３】
上記縦仕切体２４は、図６、図７に示すように、切替室６及びこれに並設した製氷室７の上方を仕切る上仕切板２１に下向き一体形成した縦仕切体上２４ａと、切替室６及びこれに並設した製氷室７の下方を仕切る下仕切板２２に上向き一体形成した縦仕切体下２４ｂとによって構成してある。そして上記縦仕切体上・下２４ａ、２４ｂの突合せ端面には、係合部となるフック部２５およびこのフック部２５を嵌め込む被係合部となる凹部２６、この例では縦仕切体下２４ｂの端面にフック部２５を、縦仕切体上２４ａの端面に凹部２６が形成してあり、上記フック部２５を凹部２６に嵌め合わせて一体に連結してある。
【００３４】
上記縦仕切体上・下２４ａ、２４ｂ同士の連結は次のようにして行なっている。まずこの冷蔵庫は、あらかじめ図６に示す上仕切板２１の下板２１ａと上板２１ｂとを組み合わせて上仕切板２１を構成し、この上仕切板２１を冷蔵庫本体１の内箱３に前方から挿入して組み込み、その後、冷蔵庫本体１の上仕切板２１下方に下仕切板２２を内箱３に前方から挿入して組み込むと、図８の矢印で示すように、下仕切板２２に一体形成した縦仕切体下２４ｂのフック部２５が前記上仕切板２１に設けた縦仕切体上２４ａの凹部２６に嵌り込んでいって連結することになる（図９参照）。
【００３５】
この上仕切板２１と下仕切板２２を冷蔵庫本体１に組み込んだ状態で冷蔵庫本体１の内外箱間に発泡断熱材を充填する。これにより発泡断熱材が冷蔵庫本体１の内外箱間とともに前記上仕切板２１の上板２１ａと下板２１ｂ間、及び下仕切板２２の内部にも充填していって上仕切板２１及び下仕切板２２が冷蔵庫本体１に一体形成される。
【００３６】
なお、図８中、２７は前記連結した縦仕切体上・下２４ａ、２４ｂの前面を覆う装飾カバーで、上・下仕切板２１、２２の前面にビス止め固定してある。
【００３７】
また、図６中、２８は上仕切板２１の前面に装着する霜取りヒータ装着用板、２９はその霜取りヒータ装着用板２８の前面を覆う上仕切板補強兼装飾カバーで、その左右両端に前記したヒンジ部材１５を補強金具３０とともにビス止め固定し、上仕切板２１上方に形成される冷蔵室の扉１０（１０ａ，１０ｂ）を軸支するようになっている。そして３１、３２は冷気通路形成用のダクト部材、３３はダンパ部材である。
【００３８】
さらにまた、前記冷蔵庫本体１は、縦仕切体２４による上・下仕切板２１、２２の連結に加え、更に前記上・下仕切板２１、２２によって形成した切替室６は、図３に示すように他方の製氷室７よりも大きく形成し、かつ、前記大きく形成して間口が広くなっている切替室６側の側壁は製氷室７側の側壁より厚くした厚壁部分３４としてある。
【００３９】
そしてさらに、前記製氷室７及び切替室６上部の冷蔵室５を開閉する扉１０は前記間口の広い切替室６の上部に位置する扉１０ａを製氷室７上部の扉１０ｂよりも大きな扉とし、この大きな扉１０ａの方の側壁が前記厚壁部分３４となるように設定してある。
【００４０】
なお、本実施の形態の上記冷蔵庫本体１はこれを構成する外箱２と内箱３との間に真空断熱材３５（図２参照）を設置して、当該真空断熱材３５の併設により発泡断熱材４のみの場合に比べその壁厚を全体的に薄くすることによっても大容量化してある。
【００４１】
その上で更にこの冷蔵庫本体１は、図３に示すように、前記冷蔵室５よりも下方に位置する切替室６及びこれに並設した製氷室７、冷凍室８、野菜室９の壁厚Ｔ２、Ｔ３、Ｔ４、Ｔ５を、冷蔵室５の壁厚Ｔ１よりも厚く設定してある。なお、冷蔵室５の壁厚Ｔ１よりも厚くした下方の壁厚のうち、強力な断熱性を必要とする冷却温度帯の低い切替室６及びこれに並設した製氷室７と冷凍室８の壁厚Ｔ２、Ｔ３、Ｔ４は、冷却温度帯の高い野菜室の壁厚Ｔ５よりも厚く設定してある。
【００４２】
以上から、この冷蔵庫本体１の壁厚は、Ｔ２＞Ｔ３＝Ｔ４＞Ｔ５＞Ｔ１という形になっている。
【００４３】
加えて、この冷蔵庫本体１は、上記冷蔵庫本体１の最下部の貯蔵室となる野菜室９の両側板部１ａと底板部１ｂとの連結部となるコーナ部Ｘの壁厚は、図３に示すように前記両側板部１ａ及び底板部１ｂのコーナ部双方とも当該コーナ部以外の平坦部分よりも厚い厚壁部３６とした構成としてある。
【００４４】
以上のように構成した冷蔵庫について、以下その動作、作用について説明すると、この冷蔵庫は、冷蔵庫本体１の冷蔵室５と冷凍室８との間であって上下略中央部分に位置することになる左右二室に区分けされた製氷室７と切替室６を形成する上・下仕切板２１，２２が縦仕切体２４によって連結してあるから、当該上・下仕切板２１，２２は縦仕切体２４による連結によってねじれ力に対し互いに補強し合う形となる。しかも、冷蔵庫本体１の左右横幅方向を大きくして上・下仕切板２１，２２の左右横幅寸法が大きくなっていても、当該左右方向横幅が縦仕切体２４によって細分化されて連結した形となるので、強度メンバーとしての働きが向上する。その結果、冷蔵庫本体１の剛性は大きく向上する。
【００４５】
従って、扉１０特に大きな扉１０ａの開閉等において冷蔵庫本体１にひねり力等が加わってもこれに抗することができるとともに、ガラス扉化した扉１０（１０ａ，１０ｂ）の大重量にも抗することができ、冷蔵庫本体１の変形を強力に抑制することができる。
【００４６】
また、前記冷蔵庫本体１が横幅方向に大型化して上・下仕切板２１，２２の左右横幅寸法が大きなものとなっていても、この上・下仕切板２１，２２の横幅方向途中は縦仕切体２４によって連結しているので、上・下仕切板２１，２２が太鼓腹状に変形するのを防止でき、平面度を高めて寸法精度の高い高品質な冷蔵庫とすることができる。
【００４７】
特に、上記上・下仕切板２１，２２は樹脂成型時に撓み変形しやすく、例えば上仕切板２１が上向きに、下仕切板２２が下向きに、それぞれ変形して、上・下仕切板２１，２２が太鼓腹状になることがあるが、このように太鼓腹状になる上・下仕切板２１，２２は前記縦仕切体上２４ａと縦仕切体下２４ｂとの連結によってその変形が矯正されて平面度が上がり、寸法精度が高まるのである。
【００４８】
また、上記上・下仕切板２１，２２の連結は、縦仕切体上２４ａに設けた凹部２６に縦仕切体下２４ｂのフック部２５を嵌め込むことによって行っているので、縦仕切体上・下２４ａ、２４ｂをビス止め連結する場合に比べ簡単かつ迅速に連結作業を行うことができ、生産性を上げることができる。
【００４９】
しかも縦仕切体２４を構成する縦仕切体上２４ａは上仕切板２１に、縦仕切体下２４ｂは下仕切板２２にそれぞれ一体形成しているので、部品点数を削減でき、前記作業業時間短縮による生産性の向上とも合わさって安価に提供することが可能となる。
【００５０】
更に前記縦仕切体２４を縦仕切体上２４ａと縦仕切体下２４ｂに分割形成しているので、各縦仕切体の上下寸法を短くすることができ、縦仕切体２４を上仕切板２１及び下仕切板２２に一体形成する際に生じがちな上仕切板２１及び下仕切板２２自体の撓み等の変形を防止もしくは最小限に抑制できる。したがって、上・下仕切板２１、２２の平面度を更に上げて寸法精度を高めることができる。
【００５１】
また、上記縦仕切体上２４ａと縦仕切体下２４ｂとの嵌め合わせ連結は、図８から明らかなように縦仕切体上２４ａに設けた凹部２６の前面側を開口状態とした形としているので、縦仕切体下２４ｂに設けたフック部２５を前方から後方へと押し込むだけで簡単に行うことができ、しかもこのフック部２５の凹部２６への押し込みは下仕切板２２を装着することによって同時に行うことができ、組立性を向上させてコストダウンを図ることができる。
【００５２】
一方、前記上・下仕切板２１、２２によって形成した左右それぞれの貯蔵室、すなわち切替室６と製氷室７は、その一方の切替室６は大きく他方の製氷室７は小さく形成し、かつ、前記大きく形成して間口が広くなった切替室６側の側壁を厚壁部分３４としてあるから、開口が大きくて強度が弱くなりがちな大きな切替室６の剛性を高めることができ、冷蔵庫本体１の剛性を更に高いものとすることができる。
【００５３】
加えて、上記左右二室に区分けした切替室６と製氷室７の上部に位置する冷蔵室５の観音開き式扉のうちの大きな扉１０ａは、前記切替室６の厚壁部分３４で軸支する構成としてあるから、大きな扉１０ａの片持ちモーメント荷重が直接加わる部分の強度を高めることもでき、扉１０ａがガラス扉化して大重量化しても冷蔵庫本体１の変形等を効果的に抑制することができる。
【００５４】
また、この実施の形態では、その冷蔵庫本体１は冷蔵室５よりも下部の側板部分の壁厚を厚く（Ｔ２、Ｔ３、Ｔ４、Ｔ５＞Ｔ１）設定してあるので、冷蔵庫本体１及び扉１０の荷重を受ける割合が高くなる冷蔵庫本体１下部の剛性が高まり、大型化並びにガラス扉化して大重量化した冷蔵庫本体１の変形を最小限に抑制することができる。
【００５５】
特に上記冷蔵庫本体１最下部の野菜室９の両側板部１ａと底板部１ｂとの連結部となるコーナ部Ｘの壁厚を、前記両側板部１ａ及び底板部１ｂのコーナ部双方とも当該コーナ部以外の他の部分よりも厚くして厚壁部３６を形成しているので、その剛性は大きく向上し、冷蔵庫本体１及び扉１０の全荷重を長期間支持し続けても変形するのを効果的に防止することができる。
【００５６】
しかも上記剛性を高めるための厚壁部３６は冷蔵庫本体１下部の両側板部１ａと底板部１ｂとの連結部となるコーナ部Ｘのみに形成しているので、冷蔵庫本体１最下部の野菜室９の容量を大きく減少させることなく変形防止を実現することができる。
【００５７】
特に、この冷蔵庫本体１では側板部１ａのみならず底板部１ｂ側にも壁厚部３６ｂを設けているので、この壁厚部３６ｂが扉１０を開閉するときに冷蔵庫本体１の側板部１ａと底板部１ｂとの連結コーナ部に加わるひねり方向のモーメント荷重に対する強度メンバーとして作用するようになり、側板部１ａのみに壁厚部３６ａを設けた場合に比べ冷蔵庫本体１及び扉１０の全荷重に対する抗力が向上し、より長期間に亘って本体変形を防止することができる。
【００５８】
以上、本発明に係る冷蔵庫について、上記実施の形態を用いて説明したが、本発明は、これに限定されるものではない。
【００５９】
例えば、本実施の形態では、縦仕切体２４を縦仕切体上・下２４ａ、２４ｂに分割したものを例示したが、これは上下いずれか一方、すなわち一つの縦仕切体としてこれを上・下仕切板２１，２２の一方に一体形成、もしくは別体形成して上・下仕切板２１、２２に係合させる構成としてもよいものである。
【００６０】
また、上・下仕切板２１、２２の間に縦仕切体２４によって左右二室に区分けして設けた製氷室７と切替室６はこれに限られるものではなく、フリーザ室や冷凍室等他の機能を有する貯蔵室としてもよいものであり、また二室以上に区分けしてもよいものある。
【００６１】
以上のように、今回開示された実施の形態はすべての点で例示であって制限的なものではないと考えられるべきである。つまり、本発明の範囲は上記した説明ではなくて特許請求の範囲によって示され、特許請求の範囲と均等の意味及び範囲内でのすべての変更が含まれることが意図される。
【産業上の利用可能性】
【００６２】
以上のように本発明は、冷蔵庫本体の剛性を高めることができると同時に寸法精度も高めることができ、大型で高品質の冷蔵庫を提供することができる。よって、一般用はもちろん業務用の冷蔵庫やワインクーラーにも幅広く適用できる。
【符号の説明】
【００６３】
１  冷蔵庫本体
１ａ  側板部
１ｂ  底板部
２  外箱
３  内箱
４  発泡断熱材
５  冷蔵室
６  切替室
７  製氷室
８  冷凍室
９  野菜室
１０、１０ａ、１０ｂ、１１、１２、１３、１４  扉
１５  ヒンジ部材
１６  冷却室
１７  冷却器
１８  送風ファン
１９  圧縮機
２０  放熱パイプ
２０ａ  キャピラリーチューブ
２１  仕切板（上仕切板）
２２  仕切板（下仕切板）
２４  縦仕切体
２４ａ  縦仕切体上
２４ｂ  縦仕切体下
２５  フック部（係合部）
２６  凹部（被係合部）
２７  装飾カバー
２８  霜取りヒータ装着用板
２９  上仕切板補強兼装飾カバー
３０  補強金具
３１、３２  ダクト部材
３３  ダンパ部材
３４  厚壁部分
３５  真空断熱材
３６  厚壁部
【図１】
2017078547.tif 000003
【図２】
2017078547.tif 000004
【図３】
2017078547.tif 000005
【図４】
2017078547.tif 000006
【図５】
2017078547.tif 000007
【図６】
2017078547.tif 000008
【図７】
2017078547.tif 000009
【図８】
2017078547.tif 000010
【図９】
2017078547.tif 000011
【図１０】
2017078547.tif 000012